(57)【要約】【課題】アース端子の取り付け位置を任意の台座部に設定することができ、設計の自由度を向上させることができ、様々な用途に対応可能な端子台を提供する。【解決手段】端子台３０は、３つの台座部３２と、少なくとも１つの金具３４とを有する。台座部３２は、上面に端子３６が取り付けられ、下面に開口４０が設けられ、側面に金具３４の一部が挿入される挿入孔４４を有する。金具３４は、断面ほぼコ字状の形状を有し、台座部３２の上面に配される上部位９０と、台座部３２の挿入孔４４に挿入される下部位９２と、該下部位９２に設けられ、且つ、台座部３２の下方から開口４０を介して挿入されたネジ９８がねじ込まれるネジ孔１００とを有する。【選択図】図２
2005332712.tif 000002
【特許請求の範囲】
【請求項１】
それぞれ端子が取り付けられる複数の台座部を有する端子台において、
前記各台座部は、前記端子台を固定するための金具が着脱自在とされた構成を有することを特徴とする端子台。
【請求項２】
請求項１記載の端子台において、
前記台座部は、上面に端子が取り付けられ、下面に開口が設けられ、側面に前記金具の一部が挿入される挿入孔を有し、
前記金具は、前記台座部の上面の上側に配される上部位と、前記台座部の前記挿入孔に挿入され、且つ、前記台座部の下面の上側に配される下部位と、該下部位に設けられ、且つ、前記台座部の下方から前記開口を介して挿入されたネジ部材がねじ込まれるネジ孔とを有することを特徴とする端子台。
【請求項３】
請求項２記載の端子台において、
前記ネジ部材は、前記台座部が載置される金属板の下面から前記台座部の前記開口を介してねじ込まれ、電位的にアース電位に固定されることを特徴とする端子台。
【請求項４】
請求項３記載の端子台において、
前記金具は、その露呈部分にアースを示すマークが表示されていることを特徴とする端子台。
【請求項５】
請求項２〜４のいずれか１項に記載の端子台において、
前記端子は、前記台座部の上面の上側に配されるコネクト部と、該コネクト部から前記台座部の後方に延び、且つ、先端部が配線基板に実装されるリード部とを有することを特徴とする端子台。
【請求項６】
請求項５記載の端子台において、
前記端子の前記リード部は、その途中で屈曲した形状を有し、
前記リード部の前記先端部は、前記配線基板の取付孔に挿入可能に段差が形成されていることを特徴とする端子台。
【請求項７】
請求項２〜６のいずれか１項に記載の端子台において、
前記複数の台座部を並列に一体化させる支持部を有することを特徴とする端子台。
【請求項８】
請求項７記載の端子台において、
前記支持部の後部に装置の筐体の一部がはめ込まれる取付部を有することを特徴とする端子台。
【請求項９】
請求項７又は８記載の端子台において、
前記端子は前記台座部の上面の上側にネジ部材によって取り付けられ、
前記支持部は、前記台座部間に仕切り部を有し、
前記仕切り部は、前記端子を取り付けるための前記ネジ部材に対応する箇所に凹部を有することを特徴とする端子台。
【請求項１０】
金属板と、
前記金属板上に配された配線基板と、
少なくとも前記配線基板を囲む筐体と、
前記金属板のうち、前記筐体の外に取り付けられる端子台とを有するノイズフィルタ装置において、
前記端子台は、
それぞれ端子が取り付けられる複数の台座部を有し、
前記各台座部は、前記端子台を固定するための金具が着脱自在とされた構成を有することを特徴とするノイズフィルタ装置。
【請求項１１】
請求項１０記載のノイズフィルタ装置において、
前記台座部は、上面に端子が取り付けられ、下面に開口が設けられ、側面に前記金具の一部が挿入される挿入孔を有し、
前記金具は、前記台座部の上面の上側に配される上部位と、前記台座部の前記挿入孔に挿入され、且つ、前記台座部の下面の上側に配される下部位と、該下部位に設けられ、且つ、前記金属板の下面から前記台座部に向けて挿入されたネジ部材がねじ込まれるネジ孔とを有することを特徴とするノイズフィルタ装置。
【請求項１２】
請求項１０又は１１記載のノイズフィルタ装置を有するインバータ装置。
【発明の詳細な説明】
【技術分野】
【０００１】
本発明は、様々な用途に対応可能な端子台と、該端子台を取り付けたノイズフィルタ装置と、該ノイズフィルタ装置を有するインバータ装置に関する。
【背景技術】
【０００２】
従来から、例えばモータ等を駆動するインバータ装置等の負荷装置と電源との間に、伝導ノイズあるいは放射ノイズのノイズ発生源となる前記負荷装置からの前記ノイズを阻止するためにノイズフィルタ装置が挿入配置される（例えば特許文献１参照）。
【０００３】
ノイズフィルタ装置と外部回路との電気的接続部分には、公知のように、例えば、金属ケース（筐体）に取り付けられた端子台が使用される。
【０００４】
【特許文献１】特開平１０−１０７５７１号公報
【発明の開示】
【発明が解決しようとする課題】
【０００５】
ところで、端子台の構成としては、小型単相型のノイズフィルタ装置の場合、例えば図８に示すように、３つの端子が取り付け可能とされた端子台２００が使用される。
【０００６】
この端子台２００は、図９に示すように、３つの台座部２０２ａ〜２０２ｃが並列に設けられている。これら台座部２０２ａ〜２０２ｃは、それぞれ上面２０１及び下面２０３を有し、これら台座部２０２ａ〜２０２ｃのうち、左右両側の台座部２０２ａ及び２０２ｃの各上面にはそれぞれネジ部長さの短いネジ２０４がねじ込まれるネジ孔２０６が設けられ、中央の台座部２０２ｂの上面にはネジ部長さの長いネジ２０８が挿通される開口２１０が設けられている。また、各台座部２０２ａ〜２０２ｃの下面のうち、中央の台座部２０２ｂの下面のみに開口２１２が設けられている。そして、中央の台座部２０２ｂにアース端子２１４、左側の台座部２０２ａに第１の電極端子２１６ａ、右側の台座部２０２ｂに第２の電極端子２１６ｂが取り付けられている。各端子２１４、２１６ａ及び２１６ｂの取り付けはネジ止めで行われる。
【０００７】
具体的には、まず、図９に示すように、電位的にアース電位とされた金属板２１８に端子台２００を載置する。そして、アース端子２１４については、金属板２１８の下方からネジ挿通孔２２０を介してネジ２０８を中央の台座部２０２ｂに向けて挿通し、さらに、該台座部２０２ｂの下面の開口２１２及び上面の開口２１０を介してネジ２０８を挿通して、該台座部２０２ｂの上面に載置されたアース端子２１４のネジ挿通孔（図示せず）に挿通し、ナット２２２によって固定するようにしている。この固定によって、端子台２００自体も金属板２１８に固定されることになる。第１及び第２の電極端子２１６ａ及び２１６ｂは、それぞれ対応する台座部２０２ａ及び２０２ｃの上面に載置し、さらに、これら台座部２０２ａ及び２０２ｃの各上面２０１の上方からそれぞれネジ２０４を第１及び第２の電極端子２１６ａ及び２１６ｂのネジ挿通孔（共に図示せず）を通して台座部２０２ａ及び２０２ｃのネジ孔２０６にねじ込むことによって固定するようにしている。
【０００８】
つまり、この端子台２００は、中央の台座部２０２ｂがアース端子専用の台座部として機能すると共に、端子台２００を金属板２１８に固定するための固定部としても機能している。従って、金属板２１８のネジ挿通孔２２０は、該金属板２１８に載置される端子台２００の位置、特に中央の台座部２０２ｂの位置に合わせて形成する必要があり、設計の自由度が制限されるという問題がある。
【０００９】
また、実質的に電極端子が取り付けられるのは、左右両側の台座部２０２ａ及び２０２ｃだけであり、単相回路にしか適用できない。しかも、中央の台座部２０２ｂは、アース端子専用で、かつ、端子台２００の固定用であることから、電極端子を取り付けることはできず、実質的に２Ｐ端子台としてしか利用できない。
【００１０】
本発明はこのような課題を考慮してなされたものであり、アース端子の取り付け位置を任意の台座部に設定することができ、設計の自由度を向上させることができる端子台を提供することを目的とする。
【００１１】
また、本発明の他の目的は、アース端子を取り換えることができる上述した目的に加えて、アース端子の代わりに電極端子を取り付けることができ、様々な用途に対応可能な端子台を提供することにある。
【００１２】
また、本発明の他の目的は、端子台の固定や配線に関する設計上の自由度を向上させることができ、しかも、様々な接続形態に対応させることができるノイズフィルタ装置及びインバータ装置を提供することにある。
【課題を解決するための手段】
【００１３】
本発明に係る端子台は、それぞれ端子が取り付けられる複数の台座部を有する端子台において、前記各台座部は、前記端子台を固定するための金具が着脱自在とされた構成を有することを特徴とする。
【００１４】
これにより、金具を任意の台座部に取り付けることができる。つまり、端子台の固定位置を台座部ごとに任意に設定することができ、端子台の実装に関する設計の自由度を向上させることができる。
【００１５】
そして、前記台座部は、上面に端子が取り付けられ、下面に開口が設けられ、側面に前記金具の一部が挿入される挿入孔を有し、前記金具は、前記台座部の上面の上側に配される上部位と、前記台座部の前記挿入孔に挿入され、且つ、前記台座部の下面の上側に配される下部位と、該下部位に設けられ、且つ、前記台座部の下方から前記開口を介して挿入されたネジ部材がねじ込まれるネジ孔とを有することを特徴とする。
【００１６】
各台座部の下面に開口が設けられていることから、金具がどの台座部に取り付けられても、前記ネジ部材を金具の下部位にねじ込むことができる。しかも、金具は、上部位が台座部の上面の上側に配されることから、該台座部の上面に取り付けられた端子と電気的に接続されることになる。
【００１７】
このように、端子台の固定位置を台座部ごとに任意に設定することができる。従って、例えば金属板上に端子台を固定する場合に、金属板の任意の位置に前記ネジ部材が挿通可能な挿通孔（ネジ挿通孔）を設けたとしても、端子台を金属板に固定することができ、端子台の実装に関する設計の自由度を向上させることができる。
【００１８】
また、金具が取り付けられた台座部については、ネジ部材、金具及び端子が電気的に接続されることになり、ネジ部材が例えばアース電位に固定されれば、当該台座部の端子はアース端子として機能することになる。この場合、端子台の任意の台座部に金具を取り付けることができることから、アース端子を任意の位置に設定することができ、配線に関する設計の自由度も向上させることができる。
【００１９】
また、前記金具は着脱自在とされているため、金具を取り付けなければ、アース端子の代わりに電極端子を取り付けることができる。つまり、アース端子を取り付けることができるほか、アース端子の代わりに電極端子を取り付けることができ、様々な用途に対応可能となる。
【００２０】
そして、前記構成において、前記金具は、その露呈部分にアースを示すマークが表示されていてもよい。これによって、どの端子がアースに接続されるかを一目で確認することができ、誤配線を事前に防止することができる。
【００２１】
また、前記構成において、前記端子は、前記台座部の上面に配されるコネクト部と、該コネクト部から前記台座部の後方に延び、且つ、先端部が配線基板に実装されるリード部とを有するようにしてもよい。これにより、端子は、配線基板に実装されたリード部を介してコネクト部として台座部上に導出されることになる。この場合、前記端子の前記リード部は、その途中で屈曲した形状を有していれば、端子台と配線基板との距離を近づけることができ、装置自体のコンパクト化において有利になる。また、前記リード部の前記先端部は、前記配線基板の取付孔に挿入可能に段差が形成されていれば、端子台を例えば金属板に固定したとき、配線基板とリード線の段差部とが当接し、端子台を金属板に安定に固定できると共に、リード部も配線基板に対して安定に固定されることになる。
【００２２】
また、前記構成において、前記複数の台座部を並列に一体化させる支持部を有するようにしてもよい。この場合、前記支持部の後部に装置の筐体の一部がはめ込まれる取付部を有することが好ましい。これは、例えば左右両側の台座部のうち、いずれか一方の台座部が金属板に固定されて、固定ポイントとしてバランスの悪いポイントで固定されたとしても、端子台が固定台（例えば金属板）と筐体の一部で挟持されることになるため、端子台を安定に固定させることができる。
【００２３】
また、前記構成において、前記端子は前記台座部の上面にネジ部材によって取り付けられ、前記支持部は、前記台座部間に仕切り部を有し、前記仕切り部は、前記端子を取り付けるための前記ネジ部材に対応する箇所に凹部を有するようにしてもよい。この場合、ネジ回し（ドライバー）等の治具を仕切り部間に挿入し易くなり、ネジ回し作業が容易になる。これは、作業工程の簡略化につながる。
【００２４】
次に、本発明に係るノイズフィルタ装置は、金属板と、前記金属板上に配された配線基板と、少なくとも前記配線基板を囲む筐体と、前記金属板のうち、前記筐体の外に取り付けられる端子台とを有するノイズフィルタ装置において、前記端子台は、それぞれ端子が取り付けられる複数の台座部を有し、前記各台座部は、前記端子台を固定するための金具が着脱自在とされた構成を有することを特徴とする。
【００２５】
特に、前記台座部は、上面に端子が取り付けられ、下面に開口が設けられ、側面に前記金具の一部が挿入される挿入孔を有し、前記金具は、前記台座部の上面の上側に配される上部位と、前記台座部の前記挿入孔に挿入され、且つ、前記台座部の下面の上側に配される下部位と、該下部位に設けられ、且つ、前記金属板の下面から前記台座部に向けて挿入されたネジ部材がねじ込まれるネジ孔とを有することを特徴とする。
【００２６】
次に、本発明に係るインバータ装置は、上述したノイズフィルタ装置を有することを特徴とする。
【００２７】
つまり、これらノイズフィルタ装置やインバータ装置は、上述した本発明に係る端子台を有することから、端子台の固定や配線に関する設計上の自由度を向上させることができ、しかも、様々な接続形態に対応させることができるノイズフィルタ装置及びインバータ装置を得ることができる。
【発明の効果】
【００２８】
以上説明したように、本発明に係る端子台によれば、アース端子の取り付け位置を任意の台座部に設定することができ、設計の自由度を向上させることができる。また、アース端子を取り付けることができるほか、アース端子の代わりに電極端子を取り付けることができ、様々な用途に対応可能となる。
【００２９】
また、本発明に係るノイズフィルタ装置によれば、端子台の固定や配線に関する設計上の自由度を向上させることができ、しかも、様々な接続形態に対応させることができる。
【００３０】
また、本発明に係るインバータ装置によれば、端子台の固定や配線に関する設計上の自由度を向上させることができ、しかも、様々な接続形態に対応させることができる。
【発明を実施するための最良の形態】
【００３１】
以下、本発明に係る端子台、ノイズフィルタ装置及びインバータ装置の実施の形態例を図１〜図７を参照しながら説明する。
【００３２】
本実施の形態に係るインバータ装置１０は、図１に示すように、モータ１２と、該モータ１２を駆動するインバータ回路１４と、ＡＣ電源１６と、インバータ回路１４とＡＣ電源１６との間に挿入接続された本実施の形態に係るノイズフィルタ装置１８とを有する。
【００３３】
ノイズフィルタ装置１８は、図２にその要部を示すように、電位的にアース電位とされた金属板２０と、該金属板２０上にある程度の間隔を置いて設置された配線基板２２と、金属板２０上に設置され、少なくとも配線基板２２を囲む筐体２４と、金属板２０のうち、筐体２４の外に取り付けられる本実施の形態に係る端子台３０とを有する。
【００３４】
端子台３０は、図３に示すように、３つの台座部３２ａ〜３２ｃと、少なくとも１つの金具３４とを有する。以下の説明では、３つの台座部３２ａ〜３２ｃのうち、任意の台座部をいうときは、台座部３２と記す。
【００３５】
台座部３２は、図２に示すように、端子３６が取り付けられる上面３８と、開口４０が形成された下面４２と、金具３４の一部が挿入される挿入孔４４が形成された側面部４６とが一体に形成されて構成されている。上面３８は、その中央部分に端子３６を取り付けるためのネジ４８がねじ込まれるネジ孔５０が形成されている。ネジ４８には、外部配線を端子３６と共に挟持するための押え板５２が取り付けられている。
【００３６】
また、各台座部３２ａ〜３２ｃは、これら台座部３２ａ〜３２ｃと一体に形成された支持部６０によって並列に配列された形態となっている。支持部６０は、各台座部３２ａ〜３２ｃの背面と左右両側の台座部３２ａ及び３２ｃの側面にかけて一体に形成された平面コ字状の背面板６２と、各台座部３２ａ〜３２ｃ間に背面板６２と共に一体に形成された仕切り板６４が設けられて構成されている。
【００３７】
背面板６２の後部には、図２及び図４に示すように、ノイズフィルタ装置１８の筐体２４の一部がはめ込まれる取付部６６が形成されている。取付部６６は、上面から側面にかけて連続して形成された凹部６８を有する。また、図６に示すように、各台座部３２ａ〜３２ｃの下面４２から、図３に示すように、背面板６２のほぼ中間部（取付部６６の上部）にかけて、切欠き７０が形成されている。これは、端子３６を取り付ける際に、後述する端子３６のリード部８０を通すための逃げの切欠きとして機能する。
【００３８】
また、背面板６２の仕切り板６４に対向する側面部分６２ａ並びに仕切り板６４は、端子３６を取り付けるためのネジ４８がねじ込まれる部分に対応する箇所に凹部７２が形成されている。
【００３９】
端子３６は、図２及び図７に示すように、台座部３２の上面３８の上側に配され、且つ、中央部分にネジ挿通孔７４（図７参照）を有する平板状のコネクト部７６と、該コネクト部７６から台座部３２の後方に延び、且つ、先端部７８が配線基板２２に実装されるリード部８０とを有する。リード部８０は、その途中で屈曲した形状を有し、該リード部８０の先端部７８は、配線基板２２の取付孔８２に挿入可能に段差８４が形成されている。つまり、リード部８０の先端部７８のうち、段差８４よりも先端側の部分（先端部分）８６の幅は配線基板２２の取付孔８２の開口幅よりもわずかに小とされ、段差８４よりも上部分８８の幅は前記取付孔８２の開口幅よりも大とされている。
【００４０】
そして、台座部３２に端子３６を取り付ける場合は、図２及び図７に示すように、台座部３２の上面３８の上側に端子３６のコネクト部７６を載置してその上方からネジ４８をネジ挿通孔７４を介して台座部３２の上面３８のネジ孔５０にねじ込むことによって、台座部３２の上面３８の上側に端子３６が固定されることになる。従って、リード部８０の段差８４の位置は、端子３６を台座部３２の上面３８の上側に取り付けたとき、リード部８０の先端部分８６が配線基板２２の取付孔８２に挿入されると共に、段差８４が配線基板２２に当接する程度の位置となっている。
【００４１】
金具３４は、図２及び図７に示すように、断面ほぼコ字状の形状を有し、台座部３２の上面３８の上側に配される平板状の上部位９０と、台座部３２の挿入孔４４に挿入されて、台座部３２の下面４２の上側に配される平板状の下部位９２と、これら上部位９０と下部位９２との間において縦方向に一体に形成された側部位９４とを有する。上部位９０は、その中央部分にネジ４８が挿通するネジ挿通孔９６を有する。
【００４２】
従って、この金具３４を台座部３２に取り付けるときは、図７に示すように、まず、端子３６のコネクト部７６を台座部３２の上面３８の上側に接するように載置し、さらに、このコネクト部７６上に金具３４の上部位９０を載置すると共に、下部位９２を台座部３２の挿入孔４４に挿入する。その後、ネジ４８をコネクト部７６の上方から金具３４の上部位９０のネジ挿通孔９６及びコネクト部７６のネジ挿通孔７４を介して台座部３２のネジ孔５０にねじ込む。これによって、金具３４が台座部３２に取り付けられることになる。金具３４を取り付ける場合、端子３６のコネクト部７６の上に金具３４の上部位９０を載せて固定するようにしたのは、端子３６のリード部８０の段差８４が配線基板２２に当接した状態、つまり、安定した状態を維持するためである。
【００４３】
また、金具３４の下部位９２は、台座部３２の下方から開口４０（図２参照）を介して挿入されたネジ９８がねじ込まれるネジ孔１００を有する。なお、金具３４は、側部位９４の側面部分、すなわち、露呈部分にアースを示すマーク１０２が表示されている。
【００４４】
従って、端子台３０（金具３４が取り付けられた端子台）を金属板２０に固定する場合は、ネジ９８を、端子台３０が載置固定される金属板２０の下方から特定の台座部３２（金具３４が取り付けられた台座部）の開口４０を介してねじ込む。その後、筐体２４を配線基板２２を被覆するように金属板２０にかぶせることによって、筐体２４の一部が端子台３０の背面板６２における取付部６６にはめ込まれ、端子台３０が筐体２４並びに金属板２０に強固に固定されることになる。
【００４５】
このように、本実施の形態に係る端子台３０は、金具３４を３つの台座部３２ａ〜３２ｃのうち、任意の台座部３２に取り付けることができる。また、各台座部３２ａ〜３２ｃの下面にそれぞれ開口４０が設けられていることから、金具３４がどの台座部３２ａ〜３２ｃに取り付けられても、ネジ９８を金具３４の下部位９２にねじ込むことができる。しかも、金具３４は、上部位９０が台座部３２の上面に配されることから、該台座部３２の上面に取り付けられた端子３６と電気的に接続されることになる。
【００４６】
つまり、端子台３０の固定位置を台座部３２ａ〜３２ｃごとに任意に設定することができる。従って、例えば金属板２０上に端子台３０を固定する場合に、金属板２０の任意の位置にネジ９８が挿通可能な挿通孔（ネジ挿通孔）を設けたとしても、端子台３０を金属板２０に固定することができ、端子台３０の実装に関する設計の自由度を向上させることができる。
【００４７】
また、金具３４が取り付けられた台座部３２については、ネジ９８、金具３４及び端子３６が電気的に接続されることになり、ネジ９８が例えば金属板２０に接触してアース電位に固定されれば、当該台座部３２の端子３６はアース端子として機能することになる。この場合、端子台３０の任意の台座部３２に金具３４を取り付けることができることから、アース端子を任意の位置に設定することができ、配線に関する設計の自由度も向上させることができる。
【００４８】
また、金具３４は着脱自在とされているため、金具３４を取り付けなければ、アース端子の代わりに電極端子を取り付けることができる。この場合、３Ｐ端子台として使用することができる。つまり、アース端子を取り付けることができるほか、アース端子の代わりに電極端子を取り付けることができ、様々な用途に対応可能となる。なお、金具３４を取り付けない場合、端子台３０の金属板２０への固定は、例えば接着剤にて行えばよい。
【００４９】
そして、金具３４は、図７に示すように、側部位９４の露呈部分にアースを示すマーク１０２を表示するようにしたので、どの端子がアースに接続されるかを一目で確認することができ、誤配線を事前に防止することができる。
【００５０】
また、図２に示すように、端子３６のリード部８０は、その途中で屈曲した形状を有しているため、端子台３０と配線基板２２との距離を近づけることができ、ノイズフィルタ装置１８自体のコンパクト化において有利になる。しかも、リード部８０の先端部７８は、配線基板２２の取付孔８２に挿入可能に段差８４を形成するようにしたので、端子台３０を例えば金属板２０に固定したとき、配線基板２２とリード部８０の段差８４とが当接し、端子台３０を金属板２０に安定に固定できると共に、リード部８０も配線基板２２に対して安定に固定されることになる。
【００５１】
また、支持部６０における背面板６２の後部に筐体２４の一部がはめ込まれる取付部６６を設けるようにしたので、例えば左右両側の台座部３２ａ及び３２ｃのうち、いずれか一方の台座部３２ａ又は３２ｃが金属板２０に固定されて、固定ポイントとしてバランスの悪いポイントで固定されたとしても、端子台３０が金属板２０と筐体２４の一部で挟持されることになるため、端子台３０を安定に固定させることができる。
【００５２】
また、背面板６２の側面部分６２ａ並びに仕切り板６４に凹部７２を形成するようにしたので、ネジ回し（ドライバー）等の治具を前記側面部分６２ａと仕切り板６４との間、並びに仕切り板６４間に挿入し易くなり、ネジ回し作業が容易になる。これは、作業工程の簡略化につながる。
【００５３】
そして、本実施の形態に係るノイズフィルタ装置１８並びに本実施の形態に係るインバータ装置１０は、上述した本実施の形態に係る端子台３０を有することから、端子台３０の固定や配線に関する設計上の自由度を向上させることができ、しかも、様々な接続形態に対応させることができる。
【００５４】
上述の例では、３つの台座部を有する場合について説明したが、その他、２つの台座部を有する端子台や、４つ以上の台座部を有する端子台にも容易に適用させることができる。
【００５５】
なお、本発明に係る端子台、ノイズフィルタ装置及びインバータ装置は、上述の実施の形態に限らず、本発明の要旨を逸脱することなく、種々の構成を採り得ることはもちろんである。
【図面の簡単な説明】
【００５６】
【図１】本実施の形態に係るインバータ装置を示す回路図である。
【図２】本実施の形態に係るノイズフィルタ装置を端子台と共に示す要部の断面図である。
【図３】本実施の形態に係る端子台を示す斜視図である。
【図４】本実施の形態に係る端子台を示す平面図である。
【図５】本実施の形態に係る端子台を示す正面図である。
【図６】本実施の形態に係る端子台を示す底面図である。
【図７】本実施の形態に係る端子台を示す分解斜視図である。
【図８】従来例に係る端子台を示す斜視図である。
【図９】従来例に係る端子台を示す縦断面図である。
【符号の説明】
【００５７】
１０…インバータ装置                    １８…ノイズフィルタ装置
２０…金属板                            ２２…配線基板
２４…筐体                              ３０…端子台
３２、３２ａ〜３２ｃ…台座部            ３４…金具
３６…端子                              ３８…上面
４０…開口                              ４２…下面
４４…挿入孔                            ６０…支持部
６２…背面板                            ６４…仕切り板
６６…取付部                            ７２…凹部
７６…コネクト部                        ８０…リード部
８４…段差                              ９０…上部位
９２…下部位                            ９８…ネジ
１００…ネジ孔                          １０２…マーク
【図１】
2005332712.tif 000003
【図２】
2005332712.tif 000004
【図３】
2005332712.tif 000005
【図４】
2005332712.tif 000006
【図５】
2005332712.tif 000007
【図６】
2005332712.tif 000008
【図７】
2005332712.tif 000009
【図８】
2005332712.tif 000010
【図９】
2005332712.tif 000011